(57)【特許請求の範囲】
【請求項１】
枠体と、
前記枠体の内部に設置される障子と、
前記枠体に設置され、前記障子の屋外側に配置される網戸と、を備え、
前記障子は、
見付け方向の端部から前記見付け方向外側に延びる延出部と、
該延出部から屋外側に延び前記枠体に当接可能な当接部と、を有する振れ止め部材を備え、
前記枠体は、前記当接部よりも前記見付け方向内側に延びる覆い部を有し、
該覆い部及び前記振れ止め部材により、前記網戸の前記見付け方向の端部が挿入可能な挿入空間部が形成され、
前記網戸が前記枠体に設置された状態で、前記網戸の前記見付け方向の端部は、前記当接部よりも前記見付け方向内側に配置されていることを特徴とする建具。
【請求項２】
前記覆い部は、前記網戸の前記見付け方向の端部をスライド可能に支持している請求項１に記載の建具。
【請求項３】
前記枠体における前記延出部の前記見付け方向外側は、該見付け方向外側に膨らむように形成されている請求項１または２に記載の建具。
【発明の詳細な説明】
【技術分野】
【０００１】
本発明は、構造物の開口部に設けられる建具に関するものである。
【背景技術】
【０００２】
従来から、構造物に開口部に設けられる建具の網戸として、例えば特許文献１に記載されたものが提案されている。この網戸は、上端部が上横枠材に下向きコ字状に形成された空間部に挿入され上横枠材に係止されるとともに、下端部が下横枠材に係止されている。網戸を上横枠材及び下横枠材に取り付ける際には、網戸の下端部と下横枠材との干渉を避けるため、網戸の上端部を上横枠材のコ字状の空間部内の上側まで移動させるように網戸を一度持ち上げた後、下方に降ろして、網戸の下端部を下横枠材に係止させる。このように、上横枠材の下向きコ字状の空間部は、網戸を取り付ける際に、網戸を一度持ち上げるために必要なスペースである。
【０００３】
また、外障子の上端部に、屋外側に向かって突出する突起が形成された外障子もある。この外障子では、突起の下方の空間部が網戸を一度持ち上げるために必要なスペースとされている。しかしながら、突起の下方の空間部の高さが低いと、網戸を一度持ち上げた際に網戸の上端部が突起と干渉して、網戸がこれ以上に上に上がらないため、網戸の下端部を下側の網戸レールに係止させることができない可能性がある。
そこで、網戸の上端部に、網戸に対して上下方向に相対移動可能な外れ止め部材を設けたものがある。これにより、網戸を一度持ち上げた際には、外れ止め部材が突起に当接して、網戸が外れ止めに対して相対的に下方に移動し、網戸の下端部を下側の網戸レールに係止させる構成とされている。
【先行技術文献】
【特許文献】
【０００４】
【特許文献１】実公昭６１−４１９２０号公報
【発明の概要】
【発明が解決しようとする課題】
【０００５】
しかしながら、上記のように、上端部に相対移動可能な外れ止め部材を設けた網戸では、構成が複雑であり、経年や耐風圧で外れてしまう可能性がある。
【０００６】
そこで、本発明は、上記事情に鑑みてなされたものであり、障子と干渉させることなく、簡易な構成で取り付け可能な網戸を提供する。
【課題を解決するための手段】
【０００７】
上記目的を達成するために、本発明は以下の手段を採用している。
すなわち、本発明に係る建具は、枠体と、前記枠体の内部に設置される障子と、前記枠体に設置され、前記障子の屋外側に配置される網戸と、を備え、前記障子は、見付け方向の端部から前記見付け方向外側に延びる延出部と、該延出部から屋外側に延び前記枠体に当接可能な当接部と、を有する振れ止め部材を備え、前記枠体は、前記当接部よりも前記見付け方向内側に延びる覆い部を有し、該覆い部及び前記振れ止め部材により、前記網戸の前記見付け方向の端部が挿入可能な挿入空間部が形成され、前記網戸が前記枠体に設置された状態で、前記網戸の前記見付け方向の端部は、前記当接部よりも前記見付け方向内側に配置されていることを特徴とする。
【０００８】
このように構成された建具では、覆い部及び振れ止め部材により網戸の見付け方向の端部が挿入可能な挿入空間部が形成されている。網戸を枠体に設置する際には、網戸の見付け方向の端部を挿入空間部の当接部に近接させるように、網戸を見付け方向外側に移動させる。その後、網戸の見付け方向の端部を当接部から離間させるように、網戸を見付け方向内側に移動させて、網戸の見付け方向の端部を挿入空間部に配置しておく。網戸を枠体に設置するために必要な挿入空間部は振れ止め部材の延出部により十分な長さを有しているため、網戸を振れ止め部材等障子と干渉させることなく、取り付けることができる。
また、挿入空間部に配置されるのは網戸の見付け方向の端部であって、網戸に特別な加工を施す必要がないため、簡易な構成とすることができる。
また、振れ止め部材の当接部は枠体に当接可能であるため、障子が屋内側から屋外側に向かう風圧を受けた場合には、振れ止め部材は枠体に当接する。よって、障子に作用する荷重が枠体に伝達され、障子が枠体から外れることが抑制される。
【０００９】
また、本発明に係る建具では、前記覆い部は、前記網戸の前記見付け方向の端部をスライド可能に支持していることが好ましい。
【００１０】
このように構成された建具では、覆い部は網戸の見付け方向の端部をスライド可能に支持しているため、網戸のレールとして機能することもできる。
【００１１】
また、本発明に係る建具は、前記枠体における前記延出部の前記見付け方向外側は、該見付け方向外側に膨らむように形成されていてもよい。
【００１２】
このように構成された建具では、障子を枠体の内部に設置する際には、障子の見付け方向の端部から見付け方向外側に延びる延出部を膨らんだ部分に近接させるように、障子を見付け方向外側に移動させる。その後、障子の見付け方向の端部を膨らんだ部分から離間させるように、障子を見付け方向内側に移動させる。枠体の延出部における見付け方向外側には見付け方向外側に膨らむように形成されているため、障子を見付け方向外側に移動させた際に、障子が枠体に干渉することが抑制される。
【発明の効果】
【００１３】
本発明に係る下枠及び建具によれば、挿入空間部は振れ止め部材の延出部により十分な長さを有しているため、障子と干渉させることなく、簡易な構成で網戸を取り付けることができる。
【図面の簡単な説明】
【００１４】
【図１】本発明の一実施形態に係る引き違い窓を屋外側から見た正面図である。
【図２】図１に示す引き違い窓の要部縦断面図である。
【図３】図１に示す引き違い窓の要部水平断面図である。
【図４】本発明の一実施形態に係る引き違い窓の外障子の上部を斜め下から見た斜視図である。
【図５】本発明の一実施形態に係る引き違い窓における上枠の屋外側部分と外障子の上部を示す縦断面図である。
【図６】本発明の一実施形態に係る引き違い窓の外障子の下部を斜め下から見た斜視図である。
【図７】本発明の一実施形態に係る引き違い窓における下枠の屋外側部分と外障子の下部を示す縦断面図である。
【図８】本発明の一実施形態に係る引き違い窓の網戸の取り付けを説明するための縦断面図である。
【図９】本発明の一実施形態に係る引き違い窓の網戸の取り付けを説明するための図であって、図８の後の状態を示す縦断面である。
【発明を実施するための形態】
【００１５】
以下、本発明の一実施形態による建築物の開口部に設けられる建具の一例として、引き違い窓を図１から図９に基づいて説明する。
図１は、本発明の一実施形態に係る引き違い窓を屋外側から見た正面図である。図２は、図１に示す引き違い窓の要部縦断面図である。図３は、図１に示す引き違い窓の要部水平断面図である。なお、図１及び図３では、網戸の図示を省略している。
図１から図３に示す引き違い窓１は、上枠２と下枠３と左右の縦枠４とで四角形枠状に形成された枠体５内に、内障子７と外障子８が見込み方向に納められている。内障子７と外障子８は、それぞれ上框１０と下框１１と左右の縦框１２、１３とで四角形枠状に形成されている。
【００１６】
図２及び図３に示すように、内障子７と外障子８の内部には、例えばペアガラス等の複層ガラス９が納められている。複層ガラス９は、見込み方向に離間して配置された２枚のガラスパネル２０を有している。ガラスパネル２０の間の四辺の端部には、スペーサ２１がそれぞれ介在している。複層ガラス９の四辺の側端部は断面略Ｕ字状のグレージングチャンネル２２で全周に亘って連続して囲われている。このグレージングチャンネル２２で覆われた複層ガラス９が、上框１０と下框１１と左右の縦框１２、１３に嵌め込まれている。
【００１７】
また、図２に示すように、枠体５には、外障子８の屋外側に網戸５０が設けられている。網戸５０は、上框５１と、下框５２と、左右の縦框（不図示）と、これら框で四角形枠状に形成された内部に張られた網５３と、を有している。
【００１８】
上枠２は、屋外側に設けた金属上枠２ａの屋内側に樹脂上枠２ｂが連結されている。下枠３は、屋外側に設けた金属下枠３ａの屋内側に樹脂下枠３ｂが連結されている。図３に示す左右の縦枠４においても同様に屋外側に設けた金属縦枠４ａの屋内側に樹脂縦枠４ｂが連結されている。金属上枠２ａ、金属下枠３ａ、金属縦枠４ａはアルミ合金等の金属からなっている。
【００１９】
図２に示す下枠３において、金属下枠３ａの屋外側には、網戸５０の下部を案内する網戸下レール３７が一体に形成されている。また、金属下枠３ａにおいて網戸下レール３７の屋内側には、外障子８の下部に設けた後述する戸車１４を走行させる外側レール１５が一体に形成されている。また、金属下枠３ａにおいて外側レール１５の屋内側には外側レール１５より１段高い位置に、内障子７の下部に設けた後述する戸車１７を走行させる内側レール１６が設けられている。
【００２０】
また、内障子７において、上框１０は、屋外側に設けた金属上框１０ａの屋内側に樹脂上框１０ｂが連結されている。下框１１は、屋外側に設けた金属下框１１ａの屋内側に樹脂下框１１ｂが連結されている。図３に示す左右の縦框１２、１３においても同様に屋外側に設けた金属縦框１２ａ、１３ａの屋内側に樹脂縦框１２ｂ、１３ｂが連結されている。これら金属上框１０ａ、金属下框１１ａ、金属縦框１２ａ、１３ａはアルミ合金等からなる。
さらに、外障子８においても、上框１０、下框１１、左右の縦框１２、１３に同一の構成を備えており、同一の符号を用いて説明を省略する。なお、縦框１２は戸先側の框であり、縦框１３は召し合わせ部の框である。
【００２１】
図２に示すように、内障子７の金属下框１１ａは、グレージングチャンネル２２を囲うように断面略コの字状のパネル受け部２６を有している。パネル受け部２６の下側には、戸車保持部２７が連結されている。戸車保持部２７は、戸車１７を保持している。この戸車１７が、金属下枠３ａの内側レール１６に案内されている。
【００２２】
また、外障子８の金属下框１１ａは、グレージングチャンネル２２を囲うように断面略コの字状のパネル受け部２６を有している。外側レール１５が内側レール１６より一段下がった階段状の位置に形成されているため、パネル受け部２６の下方には、受け板２８が形成されている。受け板２８の下側には、戸車保持部２７が連結されている。戸車保持部２７は、戸車１４を保持している。この戸車１４が、金属下枠３ａの外側レール１５に案内されている。
【００２３】
図３に示すように、外側レール１５には、外障子８の幅方向の端部に、上下方向に貫通する貫通孔１５ａが形成されている。貫通孔１５aから、金属下枠３ａの上面に溜まった水が排水可能とされている。
【００２４】
次に、枠体５の建築物Ａへの固定構造について説明する。
図２に示すように、金属上枠２ａには、屋内側及び見込み方向中間部に、それぞれ上方に突出する突出片７１が設けられている。各突出片７１には、上端部から対向する突出片７１に向かって屈曲する係合片７２が形成されている。この係合片７２には、アンカー部材７３が係合されている。
【００２５】
アンカー部材７３は、板状に形成された基部７４と、基部７４の幅方向（見込み方向）両側から下方に向かうにしたがって次第に幅方向外側に向かって延びる係合爪７５と、基部７４から上方に向かって突出する取付プレー部７６と、を有している。
【００２６】
基部７４と係合爪７５との間には、金属上枠２ａの係合片７２が挟み込まれている。これにより、金属上枠２ａは、アンカー部材７３に係止されている。また、アンカー部材７３の取付プレート部７６は、建築物に不図示の螺子により螺合されたり、建築物に設けられた不図示の鉄筋に溶接されたりして固定されている。
【００２７】
さらに、金属下枠３ａにおいても、金属上枠２ａと同様の構成によりアンカー部材７３を介して建築物Ａに固定されている。つまり、金属下枠３ａには、屋内側及び見込み方向中間部に、それぞれ下方に突出する突出片７１が設けられている。各突出片７１には、下端部から対向する突出片７１に向かって屈曲する係合片７２が形成されている。この係合片７２は、アンカー部材７３の基部７４と各係合爪７５との間に挟み込まれている。これにより、金属下枠３ａは、建築物に固定されたアンカー部材７３に係止されている。
【００２８】
次に、金属上枠２ａが外障子８及び網戸５０を支持する構成について説明する。
金属上枠２ａには、見込み方向中間部に設けられた突出片７１よりも屋外側において、上方に向かって延びる上向き壁部８１が形成されている。上向き壁部８１には、上端部から屋外側に向かって延びる延出壁部８２が形成されている。延出壁部８２には、屋外側の端部から下方に向かって延びる網戸上レール（覆い部）８３が形成されている。網戸上レール８３の下端部は、外障子８の上端部よりも下方に位置している。
【００２９】
上向き壁部８１、延出壁部８２及び網戸上レール８３により、金属上枠２ａの下面には上向きに膨らむ上枠突出部８４が形成されている。
【００３０】
図４は、引き違い窓１の外障子８の上部を斜め下から見た斜視図である。図５は、上枠２の屋外側部分と外障子８の上部を示す縦断面図である。
一方、外障子８の縦框１２の上部には、図４及び図５に示すように、振れ止め部材９０が設けられている。振れ止め部材９０は、縦框１２に不図示の螺子等により取り付けられる取付部９１と、縦框１２の上端から上方（見付け方向外側）に延びる延出部９２と、を有している。さらに、振れ止め部材９０は、延出部９２からさらに屋外側に向かって突出する突起（当接部）９３を有している。
【００３１】
図５に示すように、通常の状態では、振れ止め部材９０の突起９３は、金属上枠２ａの網戸上レール８３の屋内側に、隙間を有して配置されている。外障子８が金属上枠２ａの外側レール１５（図２参照。以下同じ。）に案内されスライド移動する際に、振れ止め部材９０の突起９３が網戸上レール８３に当接すれば、外障子８の見込み方向のがたつきが抑制される。なお、外障子８の縦框１３の上部にも同様に、不図示の振れ止め部材が設けられている。また、振れ止め部材９０の延出部９２及び突起９３の上方には、金属上枠２ａの上枠突出部８４が配置されている。
【００３２】
また、外障子８が枠体５に取り付けられた状態において、縦框１２、振れ止め部材９０の延出部９２、突起９３及び網戸上レール８３により、挿入空間部Ｓ１が形成されている。
【００３３】
図２に示すように、挿入空間部Ｓ１には、網戸５０の上框５１から上方に延びる網戸上係合部５４が挿入可能されている。網戸上係合部５４は、網戸上レール８３に対してスライド可能に支持されている。この状態で、網戸上係合部５４の上端部は、突起９３よりも下方（見付け方向内側）に配置されている。つまり、網戸上係合部５４の上端部と突起９３との間には、隙間が形成されている。
【００３４】
次に、金属下枠３ａが外障子８及び網戸５０を支持する構成について説明する。
図２に示すように、上述の通り、外障子８の戸車１４は、金属下枠３ａの外側レール１５にスライド可能に支持されている。
【００３５】
金属下枠３ａにおいて、見込み方向中間部に設けられた突出片７１には、下端部から係合片７２と反対側に延びる段部８６が形成されている。段部８６には、屋外側の端部から上方に向かって延びる網戸下レール３７が形成されている。網戸下レール３７の上端部は、外障子８の下端部よりも上方に位置している。
【００３６】
突出片７１、段部８６及び網戸下レール３７により、金属下枠３ａの上面には下向きに凹む下枠凹部８７が形成されている。
【００３７】
図６は、引き違い窓１の外障子８の下部を斜め下から見た斜視図である。図７は、下枠３の屋外側部分と外障子８の下部を示す縦断面図である。
一方、外障子８の縦框１２の下部には、図６及び図７に示すように、振れ止め部材６０が設けられている。振れ止め部材６０は、縦框１２に不図示の螺子等により取り付けられる取付部６１と、縦框１２の下端に沿って屋外側に延びる延出部６２と、を有している。さらに、振れ止め部材６０は、延出部６２からさらに屋外側に向かって突出する突起６３と、延出部６２から縦框１２の屋外側の面に沿って上方に延びる上向き部６４と、を有している。
【００３８】
図７に示すように、通常の状態では、振れ止め部材６０の突起６３は、金属下枠３ａの網戸下レール３７の屋内側に、隙間を有して配置されている。外障子８が金属下枠３ａの外側レール１５に案内されスライド移動する際に、振れ止め部材６０の突起６３が網戸下レール３７に当接すれば、外障子８の見込み方向のがたつきが抑制される。なお、外障子８の縦框１３の下部にも同様に、不図示の振れ止め部材が設けられている。
【００３９】
また、外障子８が枠体５に取り付けられた状態において、縦框１２、振れ止め部材６０の上向き部６４、突起６３及び網戸下レール３７により、下空間部Ｓ２が形成されている。
【００４０】
図２に示すように、網戸５０の下框５２には、下方に延びる網戸内係合部５５及び網戸外係合部５６が設けられている。網戸外係合部５６は、網戸内係合部５５よりも屋外側に配置されている。下空間部Ｓ２には、網戸内係合部５５が挿入可能とされている。網戸内係合部５５と網戸外係合部５６との間に網戸下レール３７が挟み込まれることで、網戸５０が網戸下レール３７に対してスライド可能とされている。
【００４１】
次に、網戸５０を枠体５に取り付ける動作について説明する。
図８は、網戸５０の取り付けを説明するための縦断面図である。図９は、網戸５０の取り付けを説明するための図であって、図８の後の状態を示す縦断面である。
図８に示すように、まず、網戸５０の上部の網戸上係合部５４を挿入空間部Ｓ１に挿入する。そして、網戸上係合部５４を振れ止め部材９０の突起９３に近接させるようにして、網戸５０を上方に持ち上げる。持ち上げることで、図９に示すように、網戸５０の下部の網戸内係合部５５が網戸下レール３７の上端部を乗り越える。網戸外係合部５６が網戸下レール３７に当接したら、網戸５０を下方に移動させる。すると、図２に示すように、網戸内係合部５５が下空間部Ｓ２に挿入され、網戸内係合部５５と網戸外係合部５６との間に網戸下レール３７が挟み込まれて、網戸５０の枠体５への取り付けが完了する。
【００４２】
このように構成された引き違い窓１では、網戸上レール８３及び振れ止め部材９０により網戸５０の網戸上係合部５４が挿入可能な挿入空間部Ｓ１が形成されている。網戸５０を枠体５に設置する際には、網戸５０の網戸上係合部５４を挿入空間部Ｓ１の突起９３に近接させるように、網戸５０を上方に移動させる。その後、網戸５０の網戸上係合部５４を突起９３から離間させるように、網戸５０を下方に移動させて、網戸５０の網戸上係合部５４を挿入空間部Ｓ１に配置しておく。網戸５０を枠体５に設置するために必要な挿入空間部Ｓ１は振れ止め部材９０の延出部９２により十分な長さを有しているため、網戸５０を振れ止め部材９０等障子と干渉させることなく、取り付けることができる。
【００４３】
また、挿入空間部Ｓ１に配置されるのは網戸５０の網戸上係合部５４であって、網戸５０に特別な加工を施す必要がないため、簡易な構成とすることができる。
【００４４】
また、振れ止め部材９０の突起９３は網戸上レール８３に当接可能であるため、外障子８が屋内側から屋外側に向かう風圧を受けた場合には、振れ止め部材９０は網戸上レール８３に当接する。よって、外障子８に作用する荷重が枠体５に伝達され、外障子８が枠体５から外れることが抑制される。
【００４５】
また、外障子８の下部にも、屋外側に向かって突出する振れ止め部材６０が設けられ、下枠３には振れ止め部材６０と当接可能な網戸下レール３７が設けられている。これにより、外障子８が屋内側から屋外側に向かう風圧を受けた場合には、振れ止め部材６０は網戸下レール３７に当接する。よって、外障子８に作用する荷重が枠体５に伝達され、外障子８が枠体５から外れることが抑制される。
【００４６】
また、網戸上レール８３は網戸５０の網戸上係合部５４をスライド可能に支持しているため、網戸５０のレールとして機能することもできる。
【００４７】
また、外障子８を枠体５の内部に設置する際には、外障子８の上端部から上方に延びる延出部９２を上枠突出部８４に近接させるように、外障子８を上方に移動させる。その後、外障子８の網戸上係合部５４を上枠突出部８４から離間させるように、外障子８を下方に移動させる。上枠２の延出部９２の上方には上方に膨らむ上枠突出部８４が形成されているため、外障子８を上方に移動させた際に、外障子８が上枠２に干渉することが抑制される。
【００４８】
なお、上述した実施の形態において示した各構成部材の諸形状や組み合わせ等は一例であって、本発明の主旨から逸脱しない範囲において設計要求等に基づき種々変更可能である。
【００４９】
例えば、外障子８の縦框１２，１３の上下端部に振れ止め部材６０を設けているが、振れ止め部材６０を上框１０及び下框１１に設ける構成であってもよい。
【００５０】
また、振れ止め部材９０では、延出部９２が外障子８の上端部から上方に延びる構成であるが、本発明はこれに限られない。振れ止め部材の延出部が障子の見付け方向の端部から見付け方向外側に向かって延びていればよく、振れ止め部材が障子の下端部に設けられ、延出部が下方に向かって延びる構成であってもよい。この場合には、障子は一度下方に移動させてから上方に持ち上げることで設置される。また、振れ止め部材は障子の左端部（または右端部）に設けられ、延出部が左方（または右方）に向かって延びる構成であってもよい。
【００５１】
また、上記に示す実施形態において、引き違い窓１を例に挙げてについて説明したが、本発明はこれに限られず、ＦＩＸ窓、縦辷り出し窓、横辷り出し窓等他の窓について適用可能である。
【００５２】
また、上記に示す実施形態において、枠及び框は、樹脂とアルミ合金等の金属とのアルミ樹脂複合部材からなるが、本発明はこれに限られず、金属のみまたは樹脂のみにより構成されていてもよい。
【符号の説明】
【００５３】
１…引き違い窓（建具）
２…上枠
３…下枠
４…縦枠
５…枠体
７…内障子
８…外障子（障子）
１５…外側レール
１５ａ…貫通孔
１６…内側レール
３１…第一段部
３２…第二段部
３７…網戸下レール
５０…網戸
６０，９０…振れ止め部材
８３…網戸上レール（覆い部）
９２…延出部
９３…突起（当接部）
Ｓ１…挿入空間部
Ｓ２…下空間部
【図１】
0006426576.tif 000002
【図２】
0006426576.tif 000003
【図３】
0006426576.tif 000004
【図４】
0006426576.tif 000005
【図５】
0006426576.tif 000006
【図６】
0006426576.tif 000007
【図７】
0006426576.tif 000008
【図８】
0006426576.tif 000009
【図９】
0006426576.tif 000010